(57)【要約】【課題】コンデンサ素子の振動、うなり音の伝播抑制、遮音を最小の投資で最大の効果を得ることができるフィルムコンデンサを提供する。【解決手段】アルミ電極を蒸着したフィルムを巻回してなるコンデン素子１と、コンデン素子１を円筒ケース２内に備えたコンデンサにおいて、コンデンサにおける電磁歪振動からくる発生音を遮音構成で遮音することにより、コンデンサ素子の振動が外部へ伝播するのを抑制、遮音効果を高め、外部への騒音を低減できる。【選択図】図２
2008172050.tif 000002
【特許請求の範囲】
【請求項１】
アルミ電極を蒸着したフィルムを巻回してなるコンデン素子と、前記コンデンサ素子を円筒ケース内に備えたコンデンサにおいて、コンデンサにおける電磁歪振動からくる発生音を遮音構成で遮音することを特徴とするコンデンサ。
【請求項２】
基板実装の円筒型コンデンサの天面に遮音構成を設けることを特徴とする、請求項１に記載のコンデンサ。
【請求項３】
円筒型コンデンサは、フィルムコンデンサである請求項１から２のいずれに記載のコンデンサ。
【請求項４】
円筒型コンデンサは、インバータ駆動用の平滑コンデンサである請求項１から３のいずれに記載のコンデンサ。
【請求項５】
遮音シートを貼り付け、すくなくとも２層構造であり、吸音構成＋遮音構成である請求項１から４のいずれに記載のコンデンサ。
【請求項６】
遮音周波数特性を、インバータキャリヤ周波数を減衰特性とする請求項１から５のいずれに記載のコンデンサ。
【請求項７】
コンデンサケース内に遮音構造をもつ請求項１から４のいずれに記載のコンデンサ。
【請求項８】
遮音シートをコンデンサ天面に貼り付けることとする請求項１から４のいずれに記載のコンデンサ。
【請求項９】
コンデンサの位置する電源板、シャーシに遮音シートを貼り付けることとする請求項１に記載のコンデンサ。
【請求項１０】
インバータ電流波形、電源電流歪み電流に起因するコンデンサフィルムの静電振動力による振動音を減衰することを特徴とする請求項１から９のいずれに記載のコンデンサ。
【発明の詳細な説明】
【技術分野】
【０００１】
本発明は、コンデンサにおける電磁歪振動からくる発生音を遮音構成で遮音することができる円筒型コンデンサに関するものである。
【背景技術】
【０００２】
従来、この種のコンデンサは、丸型フィルムコンデンサ本体を直方体のケースに入れ樹脂充填された構造となっており、また、プラスチックフィルムに片面または両面に金属蒸着した金属化フィルムを巻回したコンデンサ素子を少なくとも１個以上外装ケースに配置し、前記外装ケース内部を樹脂充填した金属化フィルムコンデンサであって、前記コンデンサ素子の外面に吸音防音材を配したものとなっている。
【０００３】
この構造では、直方体のケースの各面（６面）において、振動系により振動音が発生するという課題があった。
【０００４】
また、丸型フィルムコンデンサを円筒型のケースに入れ樹脂充填した構造においては、ケースの円筒／剛性効果によって円筒方向の振動音を消音することができるが、天面は平面のため振動するという課題があった。
【０００５】
図３は従来例を示す金属化フィルムコンデンサの構成図である。
【０００６】
同図に示すように、コンデンサ素子を樹脂外装ケース内に配置し、前記樹脂外装ケース内部を樹脂充填した金属化フィルムコンデンサであって、前記コンデンサ素子の外面に吸音防音材を配することで、コンデンサ素子の振動、うなり音が外部へ伝播するのを抑制、遮音効果を高めることで、外部への騒音を更に低減した金属化フィルムコンデンサを得ることが出来るように構成されている発明が開示されている（例えば、特許文献１参照）。
図４は従来例を示す金属化フィルムコンデンサの外形図である。
同図に示すように、アルミ電極を蒸着したフィルムを直方体のケースに配置し、前記ケース内部を樹脂充填した金属化フィルムコンデンサである。
【特許文献１】特開２００５−９３５１５号公報
【発明の開示】
【発明が解決しようとする課題】
【０００７】
しかしながら、この金属化フィルムコンデンサの構造では、次のような課題が発生する。
【０００８】
この構成は、金属化フィルムを巻回したコンデンサ素子を少なくとも１個以上外装ケースに配置し、前記外装ケース内部を樹脂充填した金属化フィルムコンデンサであって、コンデンサケースの大型化による配置スペースの確保、製造コストアップになるという課題を有し、また、コンデンサ素子の振動、うなり音の伝播抑制、遮音を最小の投資で最大の効果を得ることが望まれていた。
【０００９】
また、丸型フィルムコンデンサ本体を直方体のケースに入れ樹脂充填された構造では、直方体のケースの各面（６面）において、振動系により振動音が発生するという課題が
あった。
【００１０】
また、丸型フィルムコンデンサを円筒型のケースに入れ樹脂充填した構造においては、ケースの円筒／剛性効果によって円筒方向の振動音を消音することができるが、天面は平面のため振動するという課題があった。
【００１１】
本発明は、従来技術の有するこのような問題点に鑑みてなされたもので、円筒ケース状のコンデンサの天面に防音材を設けることにより、コンデンサ素子の振動、うなり音の伝播抑制、遮音を最小の投資で最大の効果を得ることができるフィルムコンデンサを提供することを目的としている。
【課題を解決するための手段】
【００１２】
上記目的を達成するために、本発明のフィルムコンデンサは、アルミ電極を蒸着したフィルムを巻回してなるコンデン素子と、前記コンデンサ素子を円筒ケース内に備えたコンデンサにおいて、コンデンサにおける電磁歪振動からくる発生音を遮音構成で遮音することを特徴とするものである。
【発明の効果】
【００１３】
本発明のフィルムコンデンサは、円筒ケース状のコンデンサの天面に防音材を設けることにより、コンデンサ素子の振動、うなり音の伝播抑制、遮音を最小の投資で最大の効果を得ることができる。
【発明を実施するための最良の形態】
【００１４】
第１の発明は、アルミ電極を蒸着したフィルムを巻回してなるコンデン素子と、前記コンデンサ素子を円筒ケース内に備えたコンデンサにおいて、コンデンサにおける電磁歪振動からくる発生音を遮音構成で遮音することにより、コンデンサ素子の振動が外部へ伝播するのを抑制、遮音効果を高め、外部への騒音を低減できる。
【００１５】
第２の発明は、基板実装の円筒型コンデンサの天面に遮音構成を設けることにより、コンデンサ素子の振動が外部へ伝播するのを抑制、遮音効果を高め、外部への騒音を低減できるとともに、最小の投資で最大の効果を得ることができる。
【００１６】
第３の発明は、円筒型コンデンサは、フィルムコンデンサであり、電解コンデンサの代替として同様の効果を得るとともに、ケースを円筒型にすることにより、円筒／剛性効果によって円筒方向の振動音を消音することができる
第４の発明は、円筒型コンデンサは、インバータ駆動用の平滑コンデンサであり、電解コンデンサの代替として同様の効果を得るとともに、ケースを円筒型にすることにより、円筒／剛性効果によって円筒方向の振動音を消音することができる
第５の発明は、遮音シートを貼り付け、すくなくとも２層構造であり、吸音構成＋遮音構成にすることにより、コンデンサ素子の振動が外部へ伝播するのを抑制、遮音効果を高め、外部への騒音を低減できるとともに、最小の投資で最大の効果を得ることができる。
【００１７】
第６の発明は、遮音周波数特性を、インバータキャリヤ周波数を減衰特性としたことにより、インバータキャリヤ周波数によるキャリヤ音が外部へ伝播するのを抑制、遮音効果を高め、外部への騒音を低減できるとともに、最小の投資で最大の効果を得ることができる。
【００１８】
第７の発明は、コンデンサケース内に遮音構造をもつことにより、コンデンサ素子の振動が外部へ伝播するのを抑制、遮音効果を高め、外部への騒音を低減できるとともに、最小の投資で最大の効果を得ることができる。
【００１９】
第８の発明は、遮音シートをコンデンサ天面に貼り付けることにより、天面が平面のため振動していたのを防ぎ、コンデンサ素子の振動が外部へ伝播するのを抑制、遮音効果を高め、外部への騒音を低減できるとともに、最小の投資で最大の効果を得ることができる。
【００２０】
第９の発明は、コンデンサの位置する電源板、シャーシに遮音シートを貼り付けることにより、コンデンサ素子の振動が外部へ伝播するのを抑制、遮音効果を高め、外部への騒音を低減できるとともに、最小の投資で最大の効果を得ることができる。
【００２１】
第１０の発明は、インバータ電流波形、電源電流歪み電流に起因するコンデンサフィルムの静電振動力による振動音を減衰することにより、振動が外部へ伝播するのを抑制し、外部への騒音を低減できるとともに、最小の投資で最大の効果を得ることができる。
【００２２】
以下、本発明の実施の形態について、図面を参照しながら説明する。なお、この実施の形態によって本発明が限定されるものではない。
【００２３】
（実施の形態１）
図１は、本願発明にかかるフィルムコンデンサの外形図である。同図において、アルミ電極を蒸着したフィルムを巻回してなるコンデン素子１と、前記コンデンサ素子１を円筒ケース２内に入れ樹脂充填３されている。
【００２４】
図２は、本願発明にかかる実施の形態１を示すフィルムコンデンサの防音対策図である。同図において、円筒ケース２状のコンデンサの天面に遮音シート４を貼り付けている。
【００２５】
このように、コンデンサ素子１を円筒ケース２内に入れ樹脂充填３したことにより、ケ―スの円筒／剛性効果によって円筒方向の振動音を消音することができ、また、円筒ケース２の天面に遮音構成を設けることにより、従来天面は平面のために振動していたものを防ぐことができ、電磁歪振動からくる発生音を遮音することができるため、外部への騒音を低減できるとともに、最小の投資で最大の効果を得ることができる。また、円筒ケース２状のコンデンサの天面に遮音シート４を貼り付けることで同様の効果が得られる。
【００２６】
また、遮音シート４はすくなくとも２層構造であり、吸音構成＋遮音構成とすることで同様の効果が得られる。
【００２７】
また、円筒ケース２状のコンデンサ内に遮音構造をもたすことで同様の効果が得られる。
【００２８】
また、遮音周波数特性を、インバータキャリヤ周波数を減衰特性とすることで同様の効果が得られる。
【００２９】
また、インバータ電流波形、電源電流歪み電流に起因するコンデンサフィルムの静電振動力による振動音を減衰し、外部への騒音を低減できるとともに、最小の投資で最大の効果を得ることができる。
【００３０】
また、円筒型フィルムコンデンサの位置する電源板、シャーシに遮音シートを貼り付けることで同様の効果が得られる。
【００３１】
なお、円筒型フィルムコンデンサは、インバータ駆動用の平滑コンデンサであるため、電解コンデンサの代替として同様の効果を得ることができる。
【産業上の利用可能性】
【００３２】
以上のように本発明のフィルムコンデンサは、コンデンサ素子の振動が外部へ伝播するのを抑制、遮音効果を高め、外部への騒音を低減でき、最小の投資で最大の効果を得ることができる。
【図面の簡単な説明】
【００３３】
【図１】本願発明にかかる実施の形態１のフィルムコンデンサの外形図
【図２】本願発明にかかる実施の形態１のフィルムコンデンサの防音対策図
【図３】従来例の金属化フィルムコンデンサの外形図
【図４】従来例のフィルムコンデンサの外形図
【符号の説明】
【００３４】
１  コンデンサ素子
２  円筒ケース
３  樹脂充填
４  遮音シート
【図１】
2008172050.tif 000003
【図２】
2008172050.tif 000004
【図３】
2008172050.tif 000005
【図４】
2008172050.tif 000006